(57)【要約】【課題】サキソフォンまたはクラリネットの音質を容易に調整できる気流調整具を提供する。【解決手段】サキソフォン用またはクラリネット用のマウスピースに着脱自在とした気流調整具であって、マウスピースの内部空間に嵌着可能とした基体に、内部空間の伸延方向を横断する方向に伸延した横断隆起部を形成する。横断隆起部の縦断面形状を山形状とする。山形状の頂部の断面形状を略円弧状とする。横断隆起部の縦断面形状を鋭角の山形状とする。横断隆起部の前側傾斜面を湾曲形状とする。横断隆起部の後側傾斜面を湾曲形状とする。横断隆起部を内部空間の伸延方向に沿って複数設ける。【選択図】図２
2006113141.tif 000002
【特許請求の範囲】
【請求項１】
サキソフォン用またはクラリネット用のマウスピースに着脱自在とした気流調整具であって、
前記マウスピースの内部空間に嵌着可能とした基体に、前記内部空間の伸延方向を横断する方向に伸延した横断隆起部を形成した気流調整具。
【請求項２】
前記横断隆起部の縦断面形状を山形状としたことを特徴とする請求項１記載の気流調整具。
【請求項３】
前記山形状の頂部の断面形状を略円弧状としたことを特徴とする請求項２記載の気流調整具。
【請求項４】
前記横断隆起部の縦断面形状を鋭角の山形状としたことを特徴とする請求項１記載の気流調整具。
【請求項５】
前記横断隆起部の前側傾斜面を湾曲形状としたことを特徴とする請求項２〜４のいずれか１項に記載の気流調整具。
【請求項６】
前記横断隆起部の後側傾斜面を湾曲形状としたことを特徴とする請求項２または請求項３に記載の気流調整具。
【請求項７】
前記横断隆起部を、前記内部空間の伸延方向に沿って複数設けたことを特徴とする請求項１〜６のいずれか１項に記載の気流調整具。
【請求項８】
前記横断隆起部を、前記内部空間の伸延方向に沿って複数連続させて設けたことを特徴とする請求項１〜６のいずれか１項に記載の気流調整具。
【請求項９】
前記横断隆起部における前記内部空間の伸延方向を横断する方向の両端部分をさらにそれぞれ隆起させ、前記横断隆起部の稜線を円弧状としたことを特徴とする請求項１〜８のいずれか１項に記載の気流調整具。
【発明の詳細な説明】
【技術分野】
【０００１】
本発明は、サキソフォン用またはクラリネット用のマウスピースに着脱自在とした気流調整具に関するものである。
【背景技術】
【０００２】
従来、サキソフォン用またはクラリネット用のマウスピースは、プラスチックなどによって所定形状に成形されている。
【０００３】
このようなマウスピースにおいて、マウスピースの内部空間に瘤状の隆起部を設け、丸みのある柔らかい音であって、大きい音量を得ることができるようにしたマウスピースが知られている（例えば、特許文献１参照。）。
【特許文献１】実登３０６３３１９号公報
【発明の開示】
【発明が解決しようとする課題】
【０００４】
しかしながら、瘤状隆起部付きマウスピースは、隆起部形状を変更することができないために、１種類の音質の音を出すことができず、音質を変えるには所要の音質を出すことができる隆起部形状を設けたマウスピースに交換しなければならず、多種類のマウスピースを用意しなければならないという問題があった。
【課題を解決するための手段】
【０００５】
そこで、本発明では、サキソフォン用またはクラリネット用のマウスピースに着脱自在とした気流調整具であって、マウスピースの内部空間に嵌着可能とした気流調整具の基体に、内部空間の伸延方向を横断する方向に伸延した横断隆起部を形成した。
【０００６】
さらに、以下の点にも特徴を有するものである。すなわち、
（１）横断隆起部の縦断面形状を山形状としたこと。
（２）山形状の頂部の断面形状を略円弧状としたこと。
（３）横断隆起部の縦断面形状を鋭角の山形状としたこと。
（４）横断隆起部の前側傾斜面を湾曲形状としたこと。
（５）横断隆起部の後側傾斜面を湾曲形状としたこと。
（６）横断隆起部を内部空間の伸延方向に沿って複数設けたこと。
（７）横断隆起部を内部空間の伸延方向に沿って複数連続させて設けたこと。
（８）横断隆起部における内部空間の伸延方向を横断する方向の両端部分をさらにそれぞれ隆起させ、横断隆起部の稜線を円弧状としたこと。
【発明の効果】
【０００７】
請求項１記載の発明によれば、サキソフォン用またはクラリネット用のマウスピースに着脱自在とした気流調整具であって、マウスピースの内部空間に嵌着可能とした気流調整具の基体に、内部空間の伸延方向を横断する方向に伸延した横断隆起部を形成したことによって、所要の気流調整具をマウスピースに嵌着することにより所望の音質を得ることができ、マウスピースを複数所有する必要性を解消することができる。特に、横断隆起部はマウスピースの内部空間に嵌着可能とした基体に形成していることにより取扱い易くできるとともに、嵌着状態を安定化させることができる。
【０００８】
請求項２記載の発明によれば、請求項１記載の気流調整具において横断隆起部の縦断面形状を山形状としたことによって、シャープな音を出すことができるようになるとともに、高音から低音までバランスのとれた音を出すことができる。
【０００９】
請求項３記載の発明によれば、請求項２記載の気流調整具において山形状の頂部の断面形状を略円弧状としたことによって、高音から低音までバランスのとれた音を出すことができるとともに、全体的に丸みのある柔らかな音を出すことができる。
【００１０】
請求項４記載の発明によれば、請求項１記載の気流調整具において横断隆起部の縦断面形状を鋭角の山形状としたことによって、横方向に広がった音を出すことができる。
【００１１】
請求項５記載の発明によれば、請求項２〜４のいずれか１項に記載の気流調整具において横断隆起部の前側傾斜面を湾曲形状としたことによって、シャープさを強調した音を出すことができる。
【００１２】
請求項６記載の発明によれば、請求項２または請求項３に記載の気流調整具において横断隆起部の後側傾斜面を湾曲形状としたことによって、シャープさを強調した音を出すことができる。
【００１３】
請求項７記載の発明によれば、請求項１〜６のいずれか１項に記載の気流調整具において横断隆起部を内部空間の伸延方向に沿って複数設けたことによって、聴衆が包み込まれるように感じる音を出すことができる。
【００１４】
請求項８記載の発明によれば、請求項１〜６のいずれか１項に記載の気流調整具において横断隆起部を内部空間の伸延方向に沿って複数連続させて設けたことによって、聴衆が感じる包み込まれ感を強調することができる。
【００１５】
請求項９記載の発明によれば、請求項１〜８のいずれか１項に記載の気流調整具において横断隆起部における内部空間の伸延方向を横断する方向の両端部分をさらにそれぞれ隆起させ、横断隆起部の稜線を円弧状としたことによって、深みのある音を出すことができ、木管楽器の特性を向上させることができる。
【発明を実施するための最良の形態】
【００１６】
本発明の気流調整具は、サキソフォン用またはクラリネット用のマウスピースに着脱自在とした気流調整具であって、マウスピースの内部空間に嵌着可能とした基体に、内部空間の伸延方向を横断する方向に伸延した横断隆起部を形成しているものである。
【００１７】
このように内部空間を横断する横断隆起部を形成したことにより、気流調整具なしのマウスピースと比較して特徴的な音を出すことができる。
【００１８】
しかも、気流調整具は着脱自在にマウスピースに嵌着することにより、マウスピースを複数所有する必要がなく、所望の音質の音を出すことができる気流調整具だけを所有すればよく、取扱い性を大きく向上させることができる。
【００１９】
特に、気流調整具は、以下において説明する各実施例の形態とすることにより、所望の音質の音を出すことができる。なお、以下の説明は、気流調整具がサキソフォン用の場合であるが、クラリネットでも同様であるので、クラリネット用についての説明は省略する。
【実施例１】
【００２０】
図１は、第１実施例の気流調整具の説明図であり、（ａ）は正面図、（ｂ）は左側面図、（ｃ）は右側面図、（ｄ）は底面図、（ｅ）は背面図である。平面図は底面図と対称に表れる。
【００２１】
第１実施例の気流調整具の基体A1は、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A1はマウスピースの先端側に向けて漸次太幅状としている。ここで、マウスピースの基端側とは、マウスピースが装着されるサキソフォンの吹込側になる部分であって、マウスピースの前端側とは、使用者の唇に当接する部分である。
【００２２】
このように基体A1をマウスピースの基端側に向けて漸次細幅状とすることによって、気流調整具をマウスピースの内部空間に嵌着させやすくしている。
【００２３】
なお、基体A1の材質は何であってもよいが、木材を使用することにより木管楽器特有の深みのある音を出すことができる。
【００２４】
基体A1には、中途部に厚肉とした横断隆起部10を形成している。この横断隆起部10は、マウスピースの基端側である基体A1の後端寄りに形成しており、しかも、横断隆起部10は、マウスピースの内部空間の伸延方向を横断する方向に伸延させて形成している。
【００２５】
特に、本実施例の基体A1では、横断隆起部10の前端側部分を平面状の前側傾斜面11で構成し、横断隆起部10の後端側部分を平面状の後側傾斜面12で構成し、前側傾斜面11と後側傾斜面12とで横断隆起部10の縦断面形状を山形状としている。
【００２６】
このように、横断隆起部10の縦断面形状を山形状とすることにより、この基体A1を用いた場合には、シャープな音を出すことができるようになるとともに、高音から低音までバランスのとれた音を出すことができる。
【００２７】
さらに、前側傾斜面11と後側傾斜面12とを直線状に接続して横断隆起部10の頂部14を構成するのではなく、前側傾斜面11と後側傾斜面12とが直線状に接続した横断隆起部10の頂部14を研磨することにより、横断隆起部10における山形状の頂部14の断面形状を略円弧状とした場合（図示せず）には、シャープさを緩和して、全体的に丸みのある柔らかな音を出すことができる。
【００２８】
基体A1の背面には、浅く、かつ緩やかな湾曲面を有する凹状部13を形成し、図２に示すように、マウスピースＢに気流調整具である基体A1を装着した場合に基体A1がマウスピースＢと密に当接して摩擦力が大きくなり、マウスピースＢからの気流調整具の取外しが困難となることを防止している。
【００２９】
横断隆起部10における頂部14の基体A1に対する位置及び高さは、図２に示すように基体A1をマウスピースＢに装着した状態においてマウスピースＢの吹口ｂとの位置関係で決定されるものであり、頂部14の位置及び高さを調整することにより、音の大きさを調整することができる。
【実施例２】
【００３０】
図３は、第２実施例の気流調整具の説明図であり、（ａ）は正面図、（ｂ）は左側面図、（ｃ）は右側面図、（ｄ）は底面図、（ｅ）は背面図である。平面図は底面図と対称に表れる。
【００３１】
第２実施例の気流調整具の基体A2も、第１実施例の気流調整具の基体A1と同様に、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A2はマウスピースの先端側に向けて漸次太幅状としている。
【００３２】
そして、基体A2には、中途部に厚肉とした横断隆起部20を形成している。この横断隆起部20は、基体A2の前端側よりも後端側寄りに形成し、横断隆起部20は、マウスピースの内部空間の伸延方向を横断する方向に伸延させて形成している。
【００３３】
しかも、本実施例の基体A2では、横断隆起部20の前端側部分における前側傾斜面21を凹状に湾曲した湾曲形としている。このように前側傾斜面21を湾曲形状としたことによって、シャープさを強調した音を出すことができる。
【００３４】
さらに、本実施例の基体A2では、横断隆起部20の後端側部分における後側傾斜面22も凹状に湾曲した湾曲形としている。このように後側傾斜面22を湾曲形状としたことによって、シャープさをさらに強調した音を出すことができる。
【００３５】
このとき、前側傾斜面21と後側傾斜面22とが接続される横断隆起部20の頂部24は直線状となるように接続することが望ましい。
【００３６】
第２実施例の気流調整具の基体A2も、背面には浅く、かつ緩やかな湾曲面を有する凹状部23を形成し、マウスピースからの気流調整具の取外しが困難となることを防止している。
【実施例３】
【００３７】
図４は、第３実施例の気流調整具の説明図であり、（ａ）は正面図、（ｂ）は左側面図、（ｃ）は右側面図、（ｄ）は底面図、（ｅ）は背面図である。平面図は底面図と対称に表れる。
【００３８】
第３実施例の気流調整具の基体A3も、第１実施例の気流調整具の基体A1と同様に、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A3はマウスピースの先端側に向けて漸次太幅状としている。
【００３９】
そして、基体A3には、中途部に厚肉とした横断隆起部30を形成している。この横断隆起部30は、基体A3の前端側よりも後端側寄りに形成し、横断隆起部30は、マウスピースの内部空間の伸延方向を横断する方向に伸延させて形成している。
【００４０】
しかも、本実施例の基体A3では、横断隆起部30を基体A3の伸延方向と略直交する方向に突出状に形成し、基体A3の後端側部分における後側傾斜面32が基体A3の伸延方向と略直交状態となるようにするとともに、横断隆起部30の前端側部分における前側傾斜面31は凹状に湾曲した湾曲形とし、横断隆起部30の縦断面形状を鋭角の山形状としている。
【００４１】
このように、横断隆起部30の縦断面形状を鋭角の山形状とすることによって、横方向に広がった音を出すことができる。
【００４２】
なお、後側傾斜面32は、基体A3の伸延方向と６０〜９０°の角度を成す程度となっていればよく、前側傾斜面31の形状を調整することにより横断隆起部30の縦断面形状が鋭角の山形状となるようにしてよい。ここで、鋭角とは、９０°より小さい角度のことである。
【００４３】
横断隆起部30を突出状に形成した場合には、この横断隆起部30を係止部としてマウスピースからの気流調整具の取外しを容易に行うことができるので、基体A3の背面には必ずしも凹状部を設ける必要はない。この場合、横断隆起部30の頂部34は、係止部として用いられることにより欠けが生じないように所要の肉厚を有するように形成することが望ましい。
【実施例４】
【００４４】
図５は、第４実施例の気流調整具の説明図であり、（ａ）は正面図、（ｂ）は左側面図、（ｃ）は右側面図、（ｄ）は底面図、（ｅ）は背面図である。平面図は底面図と対称に表れる。
【００４５】
第４実施例の気流調整具の基体A4も、第１実施例の気流調整具の基体A1と同様に、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A4はマウスピースの先端側に向けて漸次太幅状としている。
【００４６】
そして、基体A4には、基体A4の伸延方向に所定間隔を設けて厚肉とした第１横断隆起部40-1と第２横断隆起部40-2を形成している。特に、第２横断隆起部40-2は基体A4の後端に形成している。
【００４７】
第１横断隆起部40-1及び第２横断隆起部40-2は、マウスピースの内部空間の伸延方向を横断する方向に伸延させて形成しており、第１横断隆起部40-1は、第１実施例の気流調整具の基体A1における横断隆起部10と同様に、前側傾斜面41と後側傾斜面42とで第１頂部44-1を有する山形状としている。
【００４８】
また、第２横断隆起部40-2は基体A4を膨出させて高台状に形成しており、第２横断隆起部40-2の頂上面44-2の高さと、第１横断隆起部40-1の頂部44-1の高さを略等しくしている。
【００４９】
このように、基体A4に第１横断隆起部40-1と第２横断隆起部40-2とを所定間隔を隔てて設けることにより、聴衆が包み込まれるように感じる音を出すことができる。基体A4に形成する横断隆起部は２つに限定するものではなく３つ以上の複数設けてよい。複数設けた横断隆起部の高さは、それぞれ略同一としてもよいし、それぞれ異ならせてもよい。
【００５０】
第４実施例の気流調整具の基体A4も、背面には浅く、かつ緩やかな湾曲面を有する凹状部43を形成し、マウスピースからの気流調整具の取外しが困難となることを防止している。
【実施例５】
【００５１】
図６は、第５実施例の気流調整具の説明図であり、（ａ）は正面図、（ｂ）は左側面図、（ｃ）は右側面図、（ｄ）は底面図、（ｅ）は背面図である。平面図は底面図と対称に表れる。
【００５２】
第５実施例の気流調整具の基体A5も、第１実施例の気流調整具の基体A1と同様に、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A5はマウスピースの先端側に向けて漸次太幅状としている。
【００５３】
そして、基体A5には、中途部に厚肉とした第１横断隆起部50-1と、第２横断隆起部50-2と、第３横断隆起部50-3とを、基体A5の伸延方向に沿って狭ピッチで連続的に形成している。各横断隆起部50-1,50-2,50-3はそれぞれ、マウスピースの内部空間の伸延方向を横断する方向に伸延させて形成している。
【００５４】
このように内部空間の伸延方向に沿って各横断隆起部50-1,50-2,50-3を複数連続させて設けることによって、聴衆が感じる包み込まれ感を強調することができる。
【００５５】
しかも、各横断隆起部50-1,50-2,50-3は、それぞれ縦断面形状が山形形状となるようにしており、各横断隆起部50-1,50-2,50-3の頂部の高さが略同一となるようにしている。なお、横断隆起部50-1,50-2,50-3ごとに頂部の高さを異ならせるようにしてもよい。
【００５６】
第５実施例の気流調整具の基体A5も、背面には浅く、かつ緩やかな湾曲面を有する凹状部53を形成し、マウスピースからの気流調整具の取外しが困難となることを防止している。
【実施例６】
【００５７】
図７は、第６実施例の気流調整具の説明図であり、（ａ）は正面図、（ｂ）は左側面図、（ｃ）は右側面図、（ｄ）は底面図、（ｅ）は背面図、（ｆ）は（ａ）のＸ−Ｘ断面図である。平面図は底面図と対称に表れる。
【００５８】
第６実施例の気流調整具の基体A6も、第１実施例の気流調整具の基体A1と同様に、マウスピースの内部空間の伸延方向に沿って伸延するとともに、マウスピースの内部空間に嵌着可能とした平面視略矩形状としており、しかもマウスピースの基端側から先端側に向けて拡開状となった内部空間の形状に合わせて、基体A6はマウスピースの先端側に向けて漸次太幅状としている。
【００５９】
そして、基体A6には、中途部に厚肉とした横断隆起部60を形成している。この横断隆起部60は、基体A6の前端側よりも後端側寄りに形成している。
【００６０】
しかも、本実施例の基体A6では、横断隆起部60はマウスピースの内部空間の伸延方向を横断する方向に伸延させて形成するとともに、内部空間の伸延方向を横断する方向に伸延した横断隆起部60の右側端部60a及び左側端部60bをさらにそれぞれ隆起させ、横断隆起部60の稜線60cを略円弧状としている。
【００６１】
このように、内部空間の伸延方向を横断する方向に伸延した横断隆起部60の右側端部60a及び左側端部60bをさらにそれぞれ隆起させ、横断隆起部60の稜線60cを略円弧状とすることにより、深みのある音を出すことができるようになり、木管楽器の特性を向上させることができる。
【００６２】
基体A6における横断隆起部60の前端側部分には、伸延方向にそって伸延した凹状の湾曲面を有する前側傾斜面61を設けるとともに、横断隆起部60の後端側部分には、伸延方向にそって伸延した凹状の湾曲面を有する後側傾斜面62を設けている。
【００６３】
第６実施例の気流調整具の基体A6も、背面には浅く、かつ緩やかな湾曲面を有する凹状部63を形成し、マウスピースからの気流調整具の取外しが困難となることを防止している。
【図面の簡単な説明】
【００６４】
【図１】第１実施例の気流調整具の説明図である。
【図２】第１実施例の気流調整具の使用状態を示す説明図である。
【図３】第２実施例の気流調整具の説明図である。
【図４】第３実施例の気流調整具の説明図である。
【図５】第４実施例の気流調整具の説明図である。
【図６】第５実施例の気流調整具の説明図である。
【図７】第６実施例の気流調整具の説明図である。
【符号の説明】
【００６５】
A1,A2,A3,A4,A5,A6 基体
10,20,30,60       横断隆起部
11,21,31,41,61    前側傾斜面
12,22,32,42,62    後側傾斜面
14,24,34          頂部
13,23,43,53,63    凹状部
40-1,50-1         第１横断隆起部
40-2,50-2         第２横断隆起部
50-3              第３横断隆起部
【図１】
2006113141.tif 000003
【図２】
2006113141.tif 000004
【図３】
2006113141.tif 000005
【図４】
2006113141.tif 000006
【図５】
2006113141.tif 000007
【図６】
2006113141.tif 000008
【図７】
2006113141.tif 000009